(57)【要約】【課題】無線通信動作を行うまで電池の電力消費を抑える。【解決手段】基板と、電源部から供給される電力によって駆動され、基板に設けられるＲＦ回路と、基板に対して相対的に移動可能であり、アンテナの少なくとも一部を構成する導体部と、を備え、導体部の少なくとも一部が基板に対して相対的に移動することにより、導体部とＲＦ回路のＲＦ信号出力端子とが電気的に接続され、かつ、基板上の電極パターンと電源部とが電気的に接続され、かつ、電源部とＲＦ回路の電源入力端子とが導体部を介して電気的に接続される第１状態になる通信デバイス。【選択図】図１
2019062412.tif 000002
【特許請求の範囲】
【請求項１】
基板と、
電源部から供給される電力によって駆動され、前記基板に設けられるＲＦ回路と、
前記基板に対して相対的に移動可能であり、アンテナの少なくとも一部を構成する導体部と、
を備え、
前記導体部の少なくとも一部が前記基板に対して相対的に移動することにより、前記導体部と前記ＲＦ回路のＲＦ信号出力端子とが電気的に接続され、かつ、前記基板上の電極パターンと前記電源部とが電気的に接続され、かつ、前記電源部と前記ＲＦ回路の電源入力端子とが前記導体部を介して電気的に接続される第１状態になる
通信デバイス。
【請求項２】
基板と、
電源部から供給される電力によって駆動され、前記基板に設けられるＲＦ回路と、
前記基板に対して相対的に移動可能であり、アンテナの少なくとも一部を構成する導体部と、
を備え、
前記導体部の少なくとも一部が前記基板に対して相対的に移動することにより、前記導体部と前記ＲＦ回路のＲＦ信号出力端子とが電気的に接続され、かつ、前記基板上の電極パターンと前記電源部とが電気的に接続され、かつ、前記電源部と前記ＲＦ回路の電源入力端子とが前記導体部を介して接続される第１状態と、前記電源部と前記ＲＦ回路の電源入力端子とが電気的に接続されない第２状態とが切り替え可能である
通信デバイス。
【請求項３】
前記導体部は、前記基板の面に対して略垂直な軸の周りに回転移動する
請求項１又は請求項２に記載の通信デバイス。
【請求項４】
前記軸を形成する支柱を備える
請求項３に記載の通信デバイス。
【請求項５】
前記支柱は導体であり、前記第１状態で前記電源部と前記電源入力端子とは前記支柱を介して電気的に接続される
請求項４に記載の通信デバイス。
【請求項６】
前記導体部は、前記基板の面に対して平行な方向成分を含む方向に移動可能である
請求項１又は請求項２に記載の通信デバイス。
【請求項７】
前記導体部は、前記基板の面に対して垂直な方向成分を含む方向に移動可能である
請求項１又は請求項２に記載の通信デバイス。
【請求項８】
当該通信デバイスを覆う筐体を更に備える
請求項１から請求項７のいずれか一項に記載の通信デバイス。
【請求項９】
前記筐体の一部に前記導体部が固定されており、前記筐体の前記一部は、前記導体部と共に移動可能である
請求項８に記載の通信デバイス。
【請求項１０】
前記筐体は、防水構造を用いて構成される
請求項８又は請求項９に記載の通信デバイス。
【請求項１１】
前記基板に固定された前記電源部を備える
請求項１から請求項１０のいずれか一項に記載の通信デバイス。
【請求項１２】
前記導体部に固定された前記電源部を備える
請求項１から請求項１０のいずれか一項に記載の通信デバイス。
【請求項１３】
前記導体部は、少なくとも一部が強磁性を示す金属又は合金である
請求項１から請求項１２のいずれか一項に記載の通信デバイス。
【請求項１４】
前記電源部と前記導体部との間に着脱可能な絶縁体を更に備え、前記絶縁体が取り外されることにより、前記電源部と前記導体部とが電気的に接続される
請求項１又は請求項２に記載の通信デバイス。
【請求項１５】
前記導体部と前記電源入力端子との間に着脱可能な絶縁体を更に備え、前記絶縁体が取り外されることにより、前記電源部と前記電源入力端子とが電気的に接続される
請求項１又は請求項２に記載の通信デバイス。
【請求項１６】
前記電源部と前記基板との間に着脱可能な絶縁体を更に備え、前記絶縁体が取り外されることにより、前記第１状態になる
請求項１又は請求項２に記載の通信デバイス。
【発明の詳細な説明】
【技術分野】
【０００１】
本発明は、通信デバイスに関する。
【背景技術】
【０００２】
従来、人体や物品に取り付けることが可能な無線通信を行う通信デバイスが知られている。このような通信デバイスは、電池から供給される電力によって駆動する場合がある。このような通信デバイスにおいて、電力を供給する電池の寿命は重要である。例えば、特許文献１には、通信デバイスが通信する必要があるときに無線送受信回路を動作させ、電池寿命を長くする無線送受信回路付き電子機器が開示されている。
【先行技術文献】
【特許文献】
【０００３】
【特許文献１】特開２００４−１０４３４３号公報
【発明の概要】
【発明が解決しようとする課題】
【０００４】
しかしながら、従来の通信デバイスでは、無線送受信回路以外の回路、例えば、検波された信号が規定のパターンを含む所定の信号であるか否かを判断する判断回路に対して電力を供給することがある。つまり、無線送受信回路が動作していないときにも、電池の電力が消費され、無線通信動作に使える電力が少なくなる。
【０００５】
本発明は、上述した問題に鑑みてなされたものであり、無線通信動作を行うまで電池の電力消費を抑える通信デバイスを提供することを目的とする。
【課題を解決するための手段】
【０００６】
上記課題を解決するため、以下の手段を提供する。
本発明の一態様は、基板と、電源部から供給される電力によって駆動され、前記基板の少なくとも一方の面に設けられるＲＦ回路と、前記基板に対して相対的に移動可能であり、アンテナの少なくとも一部を構成する導体部と、を備え、前記導体部の少なくとも一部が前記基板に対して相対的に移動することにより、前記導体部と前記ＲＦ回路のＲＦ信号出力端子とが電気的に接続され、かつ、前記基板上の電極パターンと前記電源部とが電気的に接続され、かつ、前記電源部と前記ＲＦ回路の電源入力端子とが前記導体部を介して電気的に接続される第１状態になる通信デバイスである。
【０００７】
本発明の一態様は、基板と、電源部から供給される電力によって駆動され、前記基板の少なくとも一方の面に設けられるＲＦ回路と、前記基板に対して相対的に移動可能であり、アンテナの少なくとも一部を構成する導体部と、を備え、前記導体部の少なくとも一部が前記基板に対して相対的に移動することにより、前記導体部と前記ＲＦ回路のＲＦ信号出力端子とが電気的に接続され、かつ、前記基板上の電極パターンと前記電源部とが電気的に接続され、かつ、前記電源部と前記ＲＦ回路の電源入力端子とが前記導体部を介して接続される第１状態と、前記電源部と前記ＲＦ回路の電源入力端子とが電気的に接続されない第２状態とが切り替え可能である通信デバイスである。
【発明の効果】
【０００８】
無線通信動作を行うまで電池の電力消費を抑える通信デバイスを提供することができる。
【図面の簡単な説明】
【０００９】
【図１】本発明の通信デバイスが用いられる通信システムの構成の一例を示す図である。
【図２】第１の実施形態に係る第１状態の通信デバイスの外観構成の一例を示す図である。
【図３】通信デバイスの動作の開始方法の一例を示す図である。
【図４】通信デバイスの動作の開始方法の一例を示す図である。
【図５】通信デバイスの第１状態の一例を示す図である。
【図６】立設部と導体接続部との間に、絶縁体を備える通信デバイスの構成の一例を示す図である。
【図７】第２導体と電池の正極との間に、絶縁体を備える通信デバイスの構成の一例を示す図である。
【図８】パターンと、電池の負極との間に、絶縁体を備える通信デバイスの構成の一例を示す図である。
【図９】第２の実施形態に係る通信デバイスの外観構成の一例を示す図である。
【図１０】第３の実施形態に係る通信デバイスの外観構成の一例を示す図である。
【図１１】第３の実施形態に係る通信デバイスを固定する筐体の外観構成の一例を示す図である。
【図１２】第４の実施形態に係る通信デバイスの外観構成の一例を示す図である。
【図１３】第５の実施形態に係る通信デバイスの外観構成の一例を示す図である。
【発明を実施するための形態】
【００１０】
以下、本発明の実施形態について、図面を参照して説明する。
図１は、本発明の通信デバイスが用いられる通信システムの構成の一例を示す図である。
通信システム１は、人体や物品に取り付けられた通信装置２から情報を取得して、この取得した情報を管理するシステムである。通信システム１は、通信装置２ａと、通信装置２ｂと、ハブ装置３ａと、ハブ装置３ｂと、サーバ装置４とを備える。以下の説明では、通信装置２ａと、通信装置２ｂとを区別しない場合には、総称して通信装置２と記載する。以下の説明では、ハブ装置３ａと、ハブ装置３ｂとを区別しない場合には、総称してハブ装置３と記載する。
【００１１】
通信装置２は、ハブ装置３との間で、無線通信する装置である。通信装置２は、通信デバイス１００をそれぞれ備える。この通信装置２は、小型であり、人体や物品に取り付けることができる。通信デバイス１００は、例えば、ＢＬＥ（Ｂｌｕｅｔｏｏｔｈ（登録商標）  Ｌｏｗ  Ｅｎｅｒｇｙ）などの低消費電力での無線通信が可能な通信規格を用いて無線通信する。例えば、通信装置２には、自装置を識別するための通信装置固有の識別情報が、それぞれ記憶される。通信装置２は、識別情報を通信デバイス１００を介して、ハブ装置３に送信する。また、通信装置２は、例えば、自装置が取り付けられた人体の体温や脈拍などの生体情報を検出し、検出した生体情報をハブ装置３に送信する。
【００１２】
ハブ装置３は、通信装置２との間で、無線通信する。また、ハブ装置３は、サーバ装置４との間で、通信する。なお、ハブ装置３とサーバ装置４との間の通信は、無線通信であってもよく、有線通信であってもよい。この一例では、ハブ装置３とサーバ装置４との間の通信は、無線ＬＡＮ（Ｌｏｃａｌ  Ａｒｅａ  Ｎｅｔｗｏｒｋ）によって通信する。また、ハブ装置３は、通信装置２から送信された信号を受信する際、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）を検出し、その検出結果をサーバ装置４に供給する機能も有している。
【００１３】
サーバ装置４は、通信装置２及びハブ装置３から取得した情報を管理する装置である。サーバ装置４は、ハブ装置３を介して通信装置２から送信された情報を取得する。サーバ装置４は、例えば、ハブ装置３から取得したＲＳＳＩのデータを基に、通信装置２の位置を把握する。
【００１４】
この構成により、通信システム１は、例えば、サーバ装置４によって通信装置２の位置を把握することができる。また、通信システム１は、通信装置２が定期的に生体情報を送信する場合には、サーバ装置４によって取得された生体情報に基づいて、通信装置２が取り付けられた人体の生体情報を把握することができる。
【００１５】
＜第１の実施形態＞
次に、図２を参照して、上述した通信デバイス１００の第１の実施形態の構成について説明する。以下の説明では、３次元直交座標系として、ＸＹＺ座標系を示す。Ｘ軸方向は、通信デバイス１００が備える長方形の基板の長辺と平行な方向である。以下の説明では、Ｘ軸方向のことを第１方向とも記載する場合もある。Ｙ軸方向は、Ｘ軸方向に直交する方向であって、通信デバイス１００が備える長方形の基板の短辺と平行な方向である。以下の説明では、Ｙ軸方向のことを第３方向とも記載する場合もある。Ｚ軸方向は、基板の面をＸＹ平面としたときの基板の面に対する法線方向である。以下の説明では、Ｚ軸方向のことを第２方向とも記載する場合もある。基板は、Ｚ軸方向のゼロの位置に配置される。
【００１６】
図２は、第１の実施形態に係る第１状態の通信デバイス１００の外観構成の一例を示す図である。
第１状態の通信デバイス１００は、電池１６０から供給される電力によって、ＲＦ信号を出力する。第１状態とは、アンテナとＲＦ回路１１０のＲＦ信号出力端子１１４とが電気的に接続され、かつ、基板１０１上のパターン１２１と電池１６０とが電気的に接続され、かつ、電池１６０とＲＦ回路１１０の電源入力端子１１３とがアンテナを介して電気的に接続される状態である。
【００１７】
図２（ａ）は、通信デバイス１００を、Ｚ軸の正の方向からＺ軸の負の方向に見た平面図の一例である。図２（ｂ）は、通信デバイス１００を、Ｙ軸の負の方向からＹ軸の正の方向に見た平面図の一例である。
【００１８】
通信デバイス１００は、基板１０１と、電池１６０と、ＲＦ回路１１０と、アンテナと、ローパスフィルタ１７０と、ハイパスフィルタ１８０と、を備える。
電池１６０と、ＲＦ回路１１０と、ローパスフィルタ１７０と、ハイパスフィルタ１８０とのそれぞれは、基板１０１の一方又は他方の面の少なくとも一方に設けられる。この一例では、電池１６０と、ＲＦ回路１１０と、ローパスフィルタ１７０と、ハイパスフィルタ１８０とは、基板１０１をＺ軸の正の方向から見た面に設けられる。以下の説明では、基板１０１をＺ軸の正の方向から見た面のことを、表面とも記載する。また、以下の説明では、基板１０１をＺ軸の負の方向から見た面のことを、裏面とも記載する。基板１０１の形状は、Ｘ軸方向に長辺をもち、Ｙ軸方向に短辺をもつ長方形である。
【００１９】
なお、以下の説明では、基板１０１の表面に、ＲＦ回路１１０、ローパスフィルタ１７０及びハイパスフィルタ１８０を設ける構成について説明するが、これに限られない。ＲＦ回路１１０、ローパスフィルタ１７０及びハイパスフィルタ１８０などの部品は、ビア導体を介して裏面に設けられてもよい。
【００２０】
＜通信デバイス１００が備える各部品の接続について＞
電池１６０は、基板１０１の表面に配置される。電池１６０は、基板１０１のＸ軸の正の方向の端の近くに配置される。電池１６０は、負極と、当該負極と対向する位置にある正極とを有する。
電池１６０が備える負極は、導電性のパターン１２１に電気的に接続され、パターン１２１に設けられたビア導体を介して第１導体１２０と電気的に接続される。パターン１２１は、電極パターンの一例である。第１導体１２０は、基板１０１の裏面に設けられる。第１導体１２０は、基板１０１の裏面の面積よりも面積が小さい長方形のパターンである。第１導体１２０は、例えば、端部Ｅ１と、端部Ｅ２とを有する。端部Ｅ２は、第１方向において端部Ｅ１と反対側に位置する。端部Ｅ１は、第１の端部の一例である。端部Ｅ２は、第２の端部の一例である。なお、第１導体１２０の形状は長方形に限られない。
【００２１】
電池１６０が備える正極は、アンテナの少なくとも一部を構成する第２導体１３０を介して第１電源線１５０と電気的に接続される。電池１６０が備える正極は、第１電源線１５０を介して、ローパスフィルタ１７０の一端と接続される。
【００２２】
ローパスフィルタ１７０の他端は、第２電源線１５１を介してＲＦ回路１１０が備える電源入力端子１１３と接続される。ＲＦ回路１１０が備えるＲＦ信号を出力するＲＦ信号出力端子１１４は、第１出力線１４０を介してハイパスフィルタ１８０の一端と接続される。ハイパスフィルタ１８０の他端は、第２出力線１４１を介して立設部１３１と接続される。第１電源線１５０、第２電源線１５１、第１出力線１４０及び第２出力線１４１は、基板１０１に設けられたパターンである。
【００２３】
立設部１３１のＺ軸負側の一端は、導体接続部１４２を介して、第２出力線１４１と接続される。また、立設部１３１のＺ軸負側の一端は、導体接続部１４２を介して、第１電源線１５０と接続される。立設部１３１は、第１導体１２０から第２導体１３０に向かう方向（この例ではＺ軸の正の方向）に延在しており、導体接続部１４２からＺ軸の正の方向に延在している。立設部１３１の基板１０１の表面から離れた位置にあるＺ軸正側の他端は、第２導体１３０のＸ軸負側の一端と接続される。第２導体１３０は、立設部１３１の他端と接続される位置から電池１６０の正極の方向に延在している。立設部１３１は導体であり、ＲＦ信号出力端子１１４と、第２導体１３０とを導通させる。つまり、第２導体１３０は、ＲＦ回路１１０のＲＦ信号出力端子１１４に接続される。つまり、アンテナには、第２導体１３０と、立設部１３１とが含まれる。また、立設部１３１は、電源入力端子１１３と、第２導体１３０とを導通させる。つまり、第２導体１３０は、ＲＦ回路１１０の電源入力端子１１３に接続される。この第２導体１３０及び立設部１３１は、基板１０１に対して移動可能に設けられる。
【００２４】
電池１６０、ＲＦ回路１１０、ローパスフィルタ１７０及びハイパスフィルタ１８０は、第２導体１３０と第１導体１２０との間の空間に配置される。
【００２５】
第２導体１３０のＸ軸正側の他端は、電池１６０の正極と接触する。電池１６０の正極と接触する第２導体１３０の面が、接触面１９０である。本実施形態では、接触面１９０を介して第２導体１３０と電池１６０とが直接接触する。なお、第２導体１３０は、第２導体１３０と電池１６０の正極との間に導電性をもつ物体を介して電池１６０の正極に接触されてもよいし、電池１６０の正極に直接接触されてもよい。
【００２６】
第２導体１３０及び立設部１３１は、例えば、一枚の板金を折り曲げ加工することにより、一体として構成することができる。あるいは、第２導体１３０と、立設部１３１とをそれぞれ別体の板金により形成し、それらの板金を溶接などにより導通する状態で接続してもよい。この板金は、例えば、銅などの電気抵抗が小さい金属である。
【００２７】
ＲＦ回路１１０は、ＲＦ信号を生成する。この一例に示すＲＦ回路１１０は、表面実装型のパッケージに封止される。ＲＦ回路１１０は、電源入力端子１１３と、ＲＦ信号出力端子１１４と、グラウンド端子１１１とを少なくとも備える。
【００２８】
ＲＦ回路１１０は、電源入力端子１１３に入力される電力によって動作する。ＲＦ回路１１０は、グラウンド端子１１１に印加された電位を基準電位として動作する。グラウンド端子１１１は、例えば、ビア導体と第１導体１２０とを介して、電池１６０の負極と接続される。
【００２９】
ＲＦ回路１１０は、ＲＦ信号出力端子１１４から、ＲＦ信号を出力する。このＲＦ信号は、例えば、上述した識別情報や、上述した生体情報などの情報に基づいて生成される信号である。
【００３０】
アンテナは、基板１０１の裏面に設けられた第１導体１２０と、この第１導体１２０と離間して配置された導体部（第２導体１３０及び立設部１３１）とを備える。第２導体１３０は、例えば、第１導体１２０と対向する位置に設けられる。
【００３１】
第１導体１２０は、例えば、ＸＹ平面に広がる板状の導体である。この一例では、第１導体１２０は、Ｘ軸方向を長手方向として延在する。第１導体１２０は、基板１０１の裏面に設けられている。
【００３２】
第１出力線１４０及び第２出力線１４１は、ＲＦ回路１１０と導体部（第２導体１３０及び立設部１３１）とを接続する導体であり、所定の特性インピーダンス（例えば、５０オーム）を有する伝送線路として機能する。第２導体１３０は、上述したように、基板１０１に対して第１導体１２０と対向する位置に設けられる。
【００３３】
基板１０１は、電気絶縁性を有する。
電池１６０は、導体部（第２導体１３０及び立設部１３１）が移動することで、ＲＦ回路１１０に電力を供給する。電池１６０は、この一例では、ボタン型電池又はコイン型電池である。電池１６０は、電源部の一例である。第１状態の電池１６０の正極は、接触面１９０を介して第２導体１３０と電気的に接続される。電池１６０は、例えば、予めパターン１２１に電気的に接続された状態で配置され、移動した第２導体１３０と電気的に接続されてもよい。また、電池１６０は、予め第２導体１３０に電気的に接続された状態で設けられ、第２導体１３０と共に移動してパターン１２１と電気的に接続されてもよい。
【００３４】
また、この一例では、電池１６０とＲＦ回路１１０が備える電源入力端子１１３との間に、ローパスフィルタ１７０が、直列に接続される。ローパスフィルタ１７０は、電源入力端子１１３への高周波数のノイズの流入を抑制する。ローパスフィルタ１７０は、例えば、インダクタなどの誘導素子を備え、インダクタは、電池１６０とＲＦ回路１１０が備える電源入力端子１１３との間に、直列に接続される。電池１６０とＲＦ回路１１０が備える電源入力端子１１３との間には、第１の整合回路が接続されることが好ましく、ローパスフィルタ１７０は、第１の整合回路の一部として電池１６０とＲＦ回路１１０が備える電源入力端子１１３との間に、直列に接続されることが好ましい。第１の整合回路は、例えば、第１電源線１５０と第２電源線１５１との間のインピーダンス整合のために設けられ、一例として、第１電源線１５０及び第２電源線１５１の少なくとも一方と第１導体１２０とに接続されたキャパシタなどの容量素子をさらに有している。
【００３５】
また、この一例では、立設部１３１（導体部）とＲＦ回路１１０が備えるＲＦ信号出力端子１１４との間に、ハイパスフィルタ１８０が、直列に接続される。ハイパスフィルタ１８０は、ＲＦ信号出力端子１１４への低周波数のノイズの流入を抑制する。ハイパスフィルタ１８０は、例えば、キャパシタなどの容量素子を備え、キャパシタは、立設部１３１（導体部）とＲＦ回路１１０が備えるＲＦ信号出力端子１１４との間に、直列に接続される。立設部１３１（導体部）とＲＦ回路１１０が備えるＲＦ信号出力端子１１４との間には、第２の整合回路が接続されることが好ましく、ハイパスフィルタ１８０は、第２の整合回路の一部として立設部（導体部）とＲＦ回路１１０が備えるＲＦ信号出力端子１１４との間に、直列に接続されることが好ましい。第２の整合回路は、例えば、導体部（第２導体１３０及び立設部１３１）及び第２出力線１４１と第１出力線１４０との間のインピーダンス整合のために設けられ、一例として、第１出力線１４０及び第２出力線１４１の少なくとも一方と第１導体１２０とに接続されたキャパシタなどの容量素子またはインダクタなどの誘導素子をさらに有している。なお、通信デバイス１００は、ハイパスフィルタ１８０に代えてバンドパスフィルタを備えてもよい。
【００３６】
上述した構成のアンテナを備える通信デバイス１００は、第１導体１２０の電位を基準電位として第２導体１３０及び立設部１３１にＲＦ回路１１０から第１出力線１４０及び第２出力線１４１を介してＲＦ信号が印加される。ここで、アンテナの電気長が、このＲＦ信号の波長λの半分（λ／２）と等しくなるように設計されることが望ましい。第２の整合回路に含まれる誘導素子のインダクタンスや容量素子のキャパシタンスを調整することで、アンテナの電気長がＲＦ信号の波長λの半分と等しくなるように設計することもできる。
【００３７】
［通信デバイス１００の動作について  その１］
次に、図３を参照して、通信デバイス１００の動作の開始について説明する。
図３は、通信デバイス１００の動作の開始方法の一例を示す図である。
【００３８】
図３に示す通信デバイス１００は、上述した第２導体１３０及び立設部１３１と、基板１０１とが分離された状態である。この一例では、電池１６０は、第２導体１３０に予め固定されている。この電池１６０の固定には、導電性の接着剤などが用いられる。また、通信デバイス１００は、筐体１０を備える。筐体１０は、通信デバイス１００を覆う位置に設けられる。筐体１０の一部に第２導体１３０又は基板１０１が固定されており、筐体１０の一部は、第２導体１３０及び立設部１３１又は基板１０１と共に移動可能である。筐体１０の形状は、第２導体１３０及び基板１０１の形状に応じた、長方形である。
【００３９】
筐体１０は、例えば、カバー２０と、ベース３０とを備える。カバー２０と、ベース３０とは互いに嵌合する。
カバー２０には、第２導体１３０及び立設部１３１が固定されている。ベース３０は、基板１０１を保持する基板保持部３１を内側に備える。基板保持部３１は、基板１０１が収納可能な大きさの溝である。基板１０１は、基板保持部３１によって、ＸＹ平面と平行な向きの移動とＺ軸方向と平行な向きの移動とが制限される。基板１０１は、この基板保持部３１に、保持されている。
【００４０】
第２導体１３０及び立設部１３１は、基板１０１の面に対して平行な方向成分を含む方向に移動可能である。第２導体１３０及び立設部１３１は、例えば、基板１０１に対してＹ軸負側からＹ軸正側の方向に移動する。この第２導体１３０及び立設部１３１の移動により、立設部１３１のＺ軸負側の端部は、導体接続部１４２と接触し、第２出力線１４１及び第１電源線１５０と電気的に接続される。また、第２導体１３０及び立設部１３１の移動により、電池１６０の負極は、パターン１２１と電気的に接続され、第１導体１２０と電気的に接続される。これにより、電池１６０から、ＲＦ回路１１０に対して、電力が供給される。電池１６０から電力が供給されたＲＦ回路１１０は、ＲＦ信号出力端子１１４から、第１出力線１４０とハイパスフィルタ１８０と第２出力線１４１とを介して、立設部１３１と、第２導体１３０とに対してＲＦ信号を出力する。このＲＦ信号は、立設部１３１と第２導体１３０とから、電波として放射される。言い換えると、カバー２０を、ベース３０のＹ軸負側からＹ軸正側に向かって移動させる。カバー２０を、ベース３０のＹ軸負側からＹ軸正側に向かって移動させることにより、カバー２０とベース３０とが嵌合して、第２導体１３０及び立設部１３１と導体接続部１４２（基板１０１）とが固定される。
【００４１】
このように、通信デバイス１００は、第２導体１３０及び立設部１３１が基板１０１に対して相対的に移動することにより、第２導体１３０及び立設部１３１と、ＲＦ回路１１０のＲＦ信号出力端子１１４とが接続され、かつ、基板１０１上のパターン１２１と電池１６０とが電気的に接続され、かつ、電池１６０とＲＦ回路１１０の電源入力端子１１３とが第２導体１３０及び立設部１３１を介して電気的に接続される状態（第１状態の一例）になる。なお、この例では、第２導体１３０及び立設部１３１と導体接続部１４２（基板１０１）とが筐体１０によって固定される場合について説明したが、これに限られない。第２導体１３０及び立設部１３１は、導体接続部１４２（基板１０１）と電気的に接続された状態で、導電性の接着剤によって固定されてもよい。
【００４２】
なお、この例では、電池１６０が第２導体１３０に予め固定されている場合について説明したが、これに限られない。電池１６０は、パターン１２１に予め固定されていてもよい。
【００４３】
［通信デバイス１００の動作について  その２］
次に、図４及び図５を参照して、通信デバイス１００の動作の開始について説明する。
図４は、通信デバイス１００の動作の開始方法の一例を示す図である。
図５は、通信デバイス１００の第１状態の一例を示す図である。
【００４４】
図４に示す通信デバイス１００は、上述した第２導体１３０及び立設部１３１ａと、基板１０１とが分離された状態である。この一例では、電池１６０はその負極が、基板１０１が備えるパターン１２１に予め固定されて電気的に接続されている。この電池１６０の固定には、導電性の接着剤などが用いられる。
【００４５】
立設部１３１ａは、凸部１３５ａを備える。凸部１３５ａは、立設部１３１ａのＺ軸方向負側の端に設けられる。
基板１０１は、この凸部１３５ａと嵌合する凹部１４３Ａを有する導体接続部１４２ａを備える。凹部１４３Ａは、例えば、基板１０１を貫通する穴である。この凹部１４３Ａと嵌合した凸部１３５ａは、第２導体１３０及び立設部１３１ａのＸ軸方向と平行な方向及びＹ軸方向と平行な方向の移動を制限する。なお、凹部１４３Ａは、基板１０１を貫通する穴に限られず、溝であってもよい。
【００４６】
第２導体１３０及び立設部１３１ａは、基板１０１の面に対して垂直な方向成分を含む方向に移動可能である。第２導体１３０及び立設部１３１ａは、例えば、基板１０１に対してＺ軸正側からＺ軸負側の方向に移動する。この第２導体１３０及び立設部１３１ａの移動により、図５に示すように、立設部１３１ａの凸部１３５ａは、導体接続部１４２ａの凹部１４３Ａと嵌合する。これにより、立設部１３１ａと導体接続部１４２ａとが第２出力線１４１及び第１電源線１５０と電気的に接続される。また、第２導体１３０及び立設部１３１ａの移動により、電池１６０の正極は、第２導体１３０と接触し、電気的に接続される。これにより、電池１６０から、ＲＦ回路１１０に対して、電力が供給される。電池１６０から電力が供給されたＲＦ回路１１０は、ＲＦ信号出力端子１１４から、ＲＦ信号を出力する。ＲＦ信号は、立設部１３１ａと第２導体１３０とから、電波として放射される。なお、立設部１３１ａは、導体接続部１４２と電気的に接続された状態で、導電性の接着剤によって固定されてもよい。
【００４７】
なお、この例では、電池１６０がパターン１２１に予め固定されている場合について説明したが、これに限られない。電池１６０は、第２導体１３０に予め固定されていてもよい。
【００４８】
本実施形態では、導体部（第２導体１３０及び立設部１３１）が基板１０１に対して相対的に移動することにより、導体部とＲＦ回路１１０のＲＦ信号出力端子１１４とが接続され、かつ、基板１０１上のパターン１２１と電池１６０とが電気的に接続され、かつ、電池１６０とＲＦ回路１１０の電源入力端子１１３とが導体部を介して電気的に接続される第１状態になる。この第１状態の通信デバイス１００は、ＲＦ信号を導体部から出力する。つまり、導体部が所定の位置に移動することにより、電池１６０は導体接続部１４２を介して、ＲＦ回路１１０に電力を供給する。これにより、通信デバイス１００は、導体部が所定の位置に移動するまで、ＲＦ信号を発生しない。つまり、通信デバイス１００は、無線通信動作を行うまで電池１６０の電力消費を抑えることができる。
【００４９】
なお、上述した説明では、立設部１３１のＺ軸負側の端部と、導体接続部１４２とが直接接触することにより接続される場合について説明したが、これに限られない。立設部１３１のＺ軸負側の端部と、導体接続部１４２とが導電性がある接着剤や、導電性があるコネクタなどを介して接続されてもよい。
【００５０】
なお、上述した説明では、第２導体１３０と、電池１６０の正極とが、接触面１９０を介して直接接触することにより接続される場合について説明したが、これに限られない。第２導体１３０と電池１６０の正極とが、導電性がある接着剤を介して接続されてもよい。
【００５１】
なお、図６に示すように、立設部１３１と電源入力端子１１３との間に着脱可能な絶縁体１３２ａを更に備え、絶縁体１３２ａが取り外されることにより、導体部（第２導体１３０及び立設部１３１）の少なくとも一部が基板１０１に対して相対的に移動して、導体部とＲＦ信号出力端子１１４とが接続され、電池１６０と電源入力端子１１３とが電気的に接続されるようにしてもよい。絶縁体１３２ａは、例えば、絶縁テープなどである。
図６は、立設部１３１と導体接続部１４２との間に、絶縁体１３２ａを備える通信デバイス１００ａの構成の一例を示す図である。この一例では、第２導体１３０は、予め接触面１９０を介して電池１６０の正極と電気的に接続されており、電池１６０はその負極が、基板１０１が備えるパターン１２１に予め固定されて電気的に接続されている。
【００５２】
通信デバイス１００ａは、例えば、絶縁体１３２ａが取り外されることにより、立設部１３１がＺ軸負側に移動する。第２導体１３０は弾性により、立設部１３１が移動しても電池１６０の正極との接続が維持される。Ｚ軸負側に移動した立設部１３１は、導体接続部１４２を介して、第１電源線１５０、ローパスフィルタ１７０、第２電源線１５１、及び電源入力端子１１３と電気的に接続されるとともに、第２出力線１４１、ハイパスフィルタ１８０、第１出力線１４０及びＲＦ信号出力端子１１４と電気的に接続される。つまり、通信デバイス１００ａは、立設部１３１がＺ軸負側に移動することにより、電池１６０の正極と電源入力端子１１３とが、第２導体１３０及び立設部１３１を介して電気的に接続されるとともに、導体部（第２導体１３０及び立設部１３１）とＲＦ信号出力端子１１４とが電気的に接続され、第１状態へ切り替わる。
【００５３】
なお、図７に示すように、電池１６０と第２導体１３０との間に着脱可能な絶縁体１３２ｂを更に備え、絶縁体１３２ｂが取り外されることにより、導体部（第２導体１３０及び立設部１３１）の少なくとも一部が基板１０１に対して相対的に移動して、電池１６０と第２導体１３０とが電気的に接続されるようにしてもよい。絶縁体１３２ｂは、例えば、絶縁テープなどである。
図７は、第２導体１３０と電池１６０の正極との間に、絶縁体１３２ｂを備える通信デバイス１００ｂの構成の一例を示す図である。この一例では、立設部１３１は、予め導体接続部１４２、第１電源線１５０、ローパスフィルタ１７０、及び第２電源線１５１を介して、電源入力端子１１３と電気的に接続されるとともに、第２出力線１４１、ハイパスフィルタ１８０及び第１出力線１４０を介して、ＲＦ信号出力端子１１４と予め電気的に接続されている。電池１６０はその負極が、基板１０１が備えるパターン１２１に予め固定されて電気的に接続されている。
【００５４】
通信デバイス１００ｂは、例えば、絶縁体１３２ｂが取り外されることにより、第２導体１３０が基板１０１に対して相対的にＺ軸負側に移動する。通信デバイス１００ｂは、第２導体１３０がＺ軸負側に移動することにより、第２導体１３０と電池１６０の正極とが電気的に接続され、第１状態へ切り替わる。
【００５５】
なお、図８に示す通信デバイス１００ｃのように、電池１６０とパターン１２１（基板１０１）との間に着脱可能な絶縁体１３２ｃを更に備え、絶縁体１３２ｃが取り外されることにより、第１状態になるようにしてもよい。絶縁体１３２ｃは、例えば、絶縁テープなどである。
図８は、パターン１２１と、電池１６０の負極との間に、絶縁体１３２ｃを備える通信デバイス１００ｃの構成の一例を示す図である。この一例では、第２導体１３０は、予め電池１６０の正極と電気的に接続されている。また、立設部１３１は、予め導体接続部１４２、第１電源線１５０、ローパスフィルタ１７０、及び第２電源線１５１を介して、電源入力端子１１３と電気的に接続されるとともに、第２出力線１４１、ハイパスフィルタ１８０及び第１出力線１４０を介して、ＲＦ信号出力端子１１４と予め電気的に接続されている。
【００５６】
通信デバイス１００ｃは、例えば、絶縁体１３２ｃが取り外されることにより、第２導体１３０及び電池１６０がＺ軸負側に移動する。通信デバイス１００ｃは、第２導体１３０及び電池１６０が基板１０１に対して相対的にＺ軸負側に移動することにより、パターン１２１と電池１６０の負極とが電気的に接続され、第１状態へ切り替わる。
【００５７】
＜第２の実施形態＞
次に、図９を参照して、第２の実施形態に係る通信デバイス１００ｄについて説明する。通信デバイス１００ｄは、上述した立設部１３１が、スプリングコネクタ１３３である点が第１の実施形態の通信デバイス１００と異なる。なお、上述した第１の実施形態に係る通信デバイス１００と同一の構成については同一の符号を付して、その説明を省略する。
図９は、第２の実施形態に係る通信デバイス１００ｄの外観構成の一例を示す図である。
【００５８】
通信デバイス１００ｄは、スプリングコネクタ１３３を備える。スプリングコネクタ１３３は、ハウジング１３３ａと、ピン１３３ｂとを備える。スプリングコネクタ１３３は、基板１０１（導体接続部１４２上）に設けられる。この一例では、電池１６０はその負極が、基板１０１が備えるパターン１２１に予め固定されて電気的に接続されている。
【００５９】
また、ハウジング１３３ａは、導体接続部１４２と電気的に接続する位置に設けられる。第２導体１３０がピン１３３ｂに対して押し付けられる前のピン１３３ｂのＺ軸方向の長さは、長さＨ１である。第２導体１３０がピン１３３ｂに対して押し付けられた状態のピン１３３ｂのＺ軸方向の長さは、長さＨ２である。ここで、長さＨ２は、長さＨ１よりも短い。
【００６０】
第２導体１３０は、ピン１３３ｂに対して押し付けられることにより、電池１６０の正極と電気的に接続される。第２導体１３０は、スプリングコネクタ１３３を介して、ＲＦ信号出力端子１１４と接続される。また、第２導体１３０は、スプリングコネクタ１３３を介して、電源入力端子１１３と接続される。これにより、通信デバイス１００ｄは、第１状態になる。
【００６１】
また、通信デバイス１００ｄは、筐体１０によって、第１状態が維持される。例えば、図９に示すように、ベース３０とカバー２０とが嵌合することにより、第２導体１３０がピン１３３ｂに対して押し付けられた状態が維持される。
【００６２】
上述した説明では、第２の実施形態に係る通信デバイス１００ｃは、基板１０１にスプリングコネクタ１３３が設けられる構成について説明したが、これに限られない。通信デバイス１００ｃの第２導体１３０にスプリングコネクタ１３３が設けられてもよい。
【００６３】
なお、第２の実施形態では、電池１６０がパターン１２１に予め固定されている場合について説明したが、これに限られない。電池１６０は、第２導体１３０に予め固定されていてもよい。
【００６４】
＜第３の実施形態＞
次に、図１０を参照して、第３の実施形態に係る通信デバイス１００ｅについて説明する。通信デバイス１００ｅでは、第２導体１３０及び立設部１３１は、基板１０１の面に対して略垂直な軸の周りに回転移動する。回転移動とは、この例では、第２導体１３０及び立設部１３１が、基板１０１の面であるＸＹ平面と平行な面において方向ＤＩＲ１に移動することである。なお、上述した第１の実施形態に係る通信デバイス１００と同一の構成については同一の符号を付して、その説明を省略する。
図１０は、第３の実施形態に係る通信デバイス１００ｅの外観構成の一例を示す図である。
【００６５】
通信デバイス１００ｅは、支柱１３４を備える。支柱１３４は、基板１０１の表面に対して略垂直な軸を形成する。支柱１３４は、導体であっても、絶縁体であってもよい。支柱１３４は、基板１０１又は第２導体１３０に設けられる。支柱１３４は、この一例では、第２導体１３０に対して接着剤、溶接などにより設けられる。この一例では、電池１６０はその負極が、基板１０１が備えるパターン１２１に予め固定されて電気的に接続されている。
【００６６】
第２導体１３０及び立設部１３１は、支柱１３４を軸にして方向ＤＩＲ１に回転移動することにより、立設部１３１と導体接続部１４２とが電気的に接続されるとともに、第２導体１３０と電池１６０の正極とが電気的に接続される。これにより、通信デバイス１００ｅは、電池１６０からＲＦ回路１１０に対して電力が供給され、ＲＦ回路１１０のＲＦ信号出力端子１１４からＲＦ信号が出力される。
【００６７】
次に、図１１を参照して、通信デバイス１００ｅの第１状態における第２導体１３０及び立設部１３１と基板１０１との固定について説明する。
図１１は、第３の実施形態に係る通信デバイス１００ｅを固定する筐体１０ａの外観構成の一例を示す図である。
【００６８】
通信デバイス１００ｅは、筐体１０ａを更に備える。筐体１０ａは、Ｚ軸方向から見ると円形である。筐体１０ａは、通信デバイス１００ｅを覆う位置に設けられる。筐体１０ａの一部に第２導体１３０及び立設部１３１が固定されており、筐体１０ａの一部は、第２導体１３０と共に移動可能である。
【００６９】
筐体１０ａは、例えば、円形のカバー２０ａと、カバー２０ａと嵌合する円形のベース３０ａとを備える。
カバー２０ａには、第２導体１３０及び立設部１３１が固定されている。ベース３０ａは、基板１０１を保持する基板保持部３１を内側に備える。基板保持部３１には、基板１０１が収納されている。
【００７０】
カバー２０ａとベース３０ａとは、互いに嵌合する。このカバー２０ａとベース３０ａとの嵌合によって、第１状態における第２導体１３０及び立設部１３１と基板１０１とが固定される。なお、この固定は、筐体１０ａ以外の方法で固定されてもよい。例えば、立設部１３１は、導体接続部１４２と電気的に接続された状態で、導電性の接着剤によって固定されてもよい。
【００７１】
第３の実施形態に係る通信デバイス１００ｅは、支柱１３４を備えることにより、第２導体１３０が回転移動する場合に、Ｚ軸方向の移動を制限することができる。これにより、通信デバイス１００ｅを操作するユーザは、通信デバイス１００ｅを第１状態に、Ｚ軸方向の位置を気にすることなく、容易に切り替えることができる。
【００７２】
なお、第３の実施形態では、電池１６０がパターン１２１に予め固定されている場合について説明したが、これに限られない。電池１６０は、第２導体１３０に予め固定されていてもよい。
【００７３】
＜第４の実施形態＞
次に、図１２を参照して、第４の実施形態に係る通信デバイス１００ｆについて説明する。上述した第３の実施形態に係る通信デバイス１００ｅと同一の構成については同一の符号を付して、その説明を省略する。
図１２は、第４の実施形態に係る通信デバイス１００ｆの外観構成の一例を示す図である。
【００７４】
通信デバイス１００ｆは、支柱１３４ｆを備える。支柱１３４ｆは、基板１０１の表面に対して略垂直な軸を形成する。支柱１３４ｆは、基板１０１又は第２導体１３０に設けられる。支柱１３４ｆは、導体である。支柱１３４ｆは、この一例では、第２導体１３０に対して導電性の接着剤による接着、溶接などにより設けられる。
【００７５】
通信デバイス１００ｆは、第１電源線１５０の代わりに第１電源線１５０ｆを備える。また、通信デバイス１００ｆは、第２電源線１５１の代わりに第２電源線１５１ｆを備える。
【００７６】
支柱１３４ｆは、第１電源線１５０ｆを介してローパスフィルタ１７０の一端と接続される。ローパスフィルタ１７０ｆの他端は、第２電源線１５１ｆを介して電源入力端子１１３と接続される。
【００７７】
ここで、第１状態の通信デバイス１００ｆが備えるＲＦ回路１１０には、電池１６０から、第２導体１３０、支柱１３４ｆ、第１電源線１５０ｆ、ローパスフィルタ１７０及び第２電源線１５１ｆを介して電力が供給される。これにより、通信デバイス１００ｆは、ＲＦ回路１１０のＲＦ信号出力端子１１４からＲＦ信号が出力される。
【００７８】
なお、通信デバイス１００ｆは、上述した第３の実施形態と同様にして、第１状態で固定することができる。
【００７９】
第４の実施形態に係る通信デバイス１００ｆは、支柱１３４ｆを備えることにより、電池１６０から供給される電力の経路を短くすることができる。これにより、電源入力端子１１３に対する放射ノイズの影響を抑制することができる。
【００８０】
なお、第４の実施形態では、電池１６０がパターン１２１に予め固定されている場合について説明したが、これに限られない。電池１６０は、第２導体１３０に予め固定されていてもよい。
【００８１】
＜第５の実施形態＞
次に、図１３を参照して、第５の実施形態に係る通信デバイス１００ｇについて説明する。上述した第１の実施形態と同一の構成については同一の符号を付して、その説明を省略する。
図１３は、第５の実施形態に係る通信デバイス１００ｇの外観構成の一例を示す図である。
【００８２】
通信デバイス１００ｇは、筐体１０ｂを備える。筐体１０ｂは、柔軟性がある素材によって構成される。筐体１０ｂは、例えば、シリコンや、フィルムなどから構成される。この筐体１０ｂは、防水構造である。筐体１０ｂの内側は密閉された構造である。
【００８３】
筐体１０ｂの内側には、基板１０１と、導体部（第２導体１３０及び立設部１３１）とが格納される。ユーザは、筐体１０ｂの一部と共に導体部を移動させ、通信デバイス１００ｇを第１状態にする。
【００８４】
第５の実施形態に係る通信デバイス１００ｇは、柔軟性がある素材によって構成され、内側が密閉された筐体１０ｂを備えることにより、防水性がある通信デバイスを提供することができる。
【００８５】
なお、第５の実施形態では、電池１６０がパターン１２１に予め固定されている場合について説明したが、これに限られない。電池１６０は、第２導体１３０に予め固定されていてもよい。
【００８６】
なお、上述した第１の実施形態から第５の実施形態までの第２導体１３０は、筐体の外側に配置された磁石などの磁力によって、移動してもよい。この場合、第２導体１３０及び立設部１３１は、強磁性を示す金属又は合金であり、例えば、鉄、ニッケル、コバルト、又は鉄、ニッケル及びコバルトのうちの少なくとも１つを含む合金である。第２導体１３０及び立設部１３１は、電気抵抗値が小さいことが好ましいので、鉄、ニッケル及びコバルトのうちの少なくとも１つと銅とを含む合金であることが好ましい。
【００８７】
＜第１状態から第２状態への切り替えについて＞
ここまでは、通信デバイス１００〜通信デバイス１００ｇを、第１状態へする構成について説明した。次に、通信デバイス１００〜通信デバイス１００ｇを、第２状態へ切り替える構成について説明する。ここで、第２状態とは、この例では、電池１６０とＲＦ回路１１０の電源入力端子１１３とが電気的に接続されない状態である。言い換えると、第２状態とは、ＲＦ信号が出力されない（停止する）状態である。なお、第２状態は、電池１６０からＲＦ回路１１０に対して、電力が供給されていない状態であればよく、第２導体１３０とＲＦ信号出力端子１１４とが電気的に接続されている状態と、第２導体１３０とＲＦ信号出力端子１１４とが電気的に接続されていない状態とが含まれる。
【００８８】
通信デバイス１００〜通信デバイス１００ｇは、例えば、通信デバイス１００〜通信デバイス１００ｇを第１状態にするための導体部（第２導体１３０及び立設部１３１）の移動と逆方向に導体部を移動させることにより、第２状態に切り替わる。例えば、第１状態の通信デバイス１００の第２導体１３０及び立設部１３１と、基板１０１とを分離させることで、第２状態に切り替える。
【００８９】
具体的には、上述した図３に示すように、ユーザが通信デバイス１００のカバー２０をベース３０のＹ軸負側からＹ軸正側に向かって移動させることで、通信デバイス１００を第１状態にした場合について説明する。この場合、ユーザが通信デバイス１００のカバー２０をベース３０のＹ軸正側からＹ軸負側に向かって移動させることで、通信デバイス１００を第１状態から第２状態に切り替える。なお、第１状態の通信デバイス１００のカバー２０を、更に、Ｙ軸正側に向かって移動させることにより、第２状態に切り替えられるようにしてもよい。
【００９０】
次に、上述した図４、図９に示すように、ユーザが通信デバイス１００の導体部（第２導体１３０及び立設部１３１ａ、又は第２導体１３０）をＺ軸正側からＺ軸負側に向かって移動させることで、通信デバイス１００又は通信デバイス１００ｄを第１状態にした場合について説明する。この場合、ユーザが導体部をＺ軸負側からＺ軸正側に向かって移動させることで、通信デバイス１００又は通信デバイス１００ｄを第１状態から第２状態に切り替える。
【００９１】
次に、上述した図１０及び図１２に示すように、ユーザが通信デバイス１００ｅ又は通信デバイス１００ｆの第２導体１３０及び立設部１３１を方向ＤＩＲ１に回転移動させることで、通信デバイス１００ｅ又は通信デバイス１００ｆを第１状態にした場合には、例えば、第１状態の通信デバイス１００ｅ又は通信デバイス１００ｆの導体部（第２導体１３０及び立設部１３１）を、方向ＤＩＲ１に回転移動させることで、第２状態に切り替えることができる。
【００９２】
また、通信デバイス１００ｅ又は通信デバイス１００ｆが筐体１０ａを備える場合には、ユーザは、カバー２０ａとベース３０ａとが嵌合した状態で、カバー２０ａ又はベース３０ａを更に方向ＤＩＲ１に回転させることで、第１状態から第２状態に切り替えることができる。このように、筐体１０ａを備える通信デバイス１００ｅ又は通信デバイス１００ｆは、筐体１０ａの一部に導体部（第２導体１３０及び立設部１３１）が固定されており、筐体１０ａの一部は、導体部と共に移動可能であるため、第１状態における導体接続部１４２と、第２導体１３０及び立設部１３１との位置が定めやすくなる。これにより、筐体１０ａを備える通信デバイス１００ｅ又は通信デバイス１００ｆは、第１状態と第２状態とを精度よく切り替えることができる。
【００９３】
以上説明したように、通信デバイス１００〜通信デバイス１００ｇは、導体部の少なくとも一部を移動することにより、電池１６０からの電力の供給と停止とを切り替えることができる。これにより、通信デバイス１００〜通信デバイス１００ｇは、電池１６０からの電力の供給と停止とを切り替えるスイッチを設ける必要が無い。このため、通信デバイス１００〜通信デバイス１００ｇは、小型化しつつ、外来ノイズなどの影響を受けにくい安定した通信を行うことができる。
【００９４】
以上、本発明の実施形態を、図面を参照して詳述してきたが、具体的な構成はこの実施形態に限られるものではなく、本発明の趣旨を逸脱しない範囲で適宜変更を加えることができる。
【符号の説明】
【００９５】
１…通信システム、２ａ，２ｂ…通信装置、３ａ，３ｂ…ハブ装置、４…サーバ装置、１０，１０ａ，１０ｂ…筐体、２０，２０ａ…カバー、３０，３０ａ…ベース、１００〜１００ｇ…通信デバイス、１１０…ＲＦ回路、１１１…グラウンド端子、１１３…電源入力端子、１１４…ＲＦ信号出力端子、１２０…第１導体、１３０…第２導体、１３１…立設部、１３２ａ，１３２ｂ，１３２ｃ…絶縁体、１３３…スプリングコネクタ、１３４，１３４ｆ…支柱、１４０…第１出力線、１４１…第２出力線、１５０，１５０ｆ…第１電源線、１５１，１５１ｆ…第２電源線、１６０…電池、１７０…ローパスフィルタ、１８０…ハイパスフィルタ
【図１】
2019062412.tif 000003
【図２】
2019062412.tif 000004
【図３】
2019062412.tif 000005
【図４】
2019062412.tif 000006
【図５】
2019062412.tif 000007
【図６】
2019062412.tif 000008
【図７】
2019062412.tif 000009
【図８】
2019062412.tif 000010
【図９】
2019062412.tif 000011
【図１０】
2019062412.tif 000012
【図１１】
2019062412.tif 000013
【図１２】
2019062412.tif 000014
【図１３】
2019062412.tif 000015